(57)【要約】【課題】    本考案は、記録媒体の記録面を簡易に保護し、しかも、記録媒体を簡易に収納できる書籍を提供する。【解決手段】    書籍１００は、円盤形状の記録媒体１を収納した書籍１００であって、円盤形状の記録媒体１の大きさと略同じで、再剥離性の粘着剤が塗布されたシート部材２と、このシート部材２で円盤形状の記録媒体１の記録面Ｂの全体を覆うと共に、記録面Ｂの全体を覆って接着したシート部材２を書籍１００の頁紙１０１に部分的に接着して記録媒体１を収納するものである。【選択図】図８
0003115567.tif 000002
【実用新案登録請求の範囲】
【請求項１】
円盤形状の記録媒体と、
この円盤形状の記録媒体の大きさと略同じで、再剥離性の粘着剤が塗布されたシート部材とを有し、
このシート部材で前記円盤形状の記録媒体の記録面の全体を覆って接着する
ことを特徴とする記録媒体。
【請求項２】
円盤形状の記録媒体の記録面の径と同径の円形で、前記記録面の全体を覆い、再剥離性の粘着剤が塗布されたシート部材を積層したものであって、
前記円形のシート部材の裏面の外周近傍に前記再剥離性の粘着剤が塗布されていない部分を有していることを特徴とする記録媒体被覆用シート部材の積層体。
【請求項３】
シート部材は円形で、該円形の外周に手で摘む突状片が設けられている
ことを特徴とする請求項１記載の記録媒体。
【請求項４】
円盤形状の記録媒体の記録面の径と同径の円形で、前記記録面の全体を覆い、再剥離性の粘着剤が塗布されたシート部材を積層したものであって、
前記円形の外周に手で摘む突状片が設けられ、該突状片の裏面に前記再剥離性の粘着剤が塗布されていないことを特徴とする記録媒体被覆用シート部材の積層体。
【請求項５】
円盤形状の記録媒体を収納した書籍であって、
前記円盤形状の記録媒体の大きさと略同じで、再剥離性の粘着剤が塗布されたシート部材と、
このシート部材で前記円盤形状の記録媒体の記録面の全体を覆うと共に、前記記録面の全体を覆って接着した前記シート部材を前記書籍の頁紙に部分的に接着して前記記録媒体を収納する
ことを特徴とする書籍。
【請求項６】
シート部材の書籍の頁紙に部分的に接着は、両面テープ又はホットボンドによるものであり、前記シート部材は紙である
ことを特徴とする請求項５記載の書籍。
【考案の詳細な説明】
【技術分野】
【０００１】
本考案は、記録媒体、記録媒体被覆用シート部材の積層体及び書籍に係り、特に、記録媒体の記録面を簡易に保護することができる記録媒体、記録媒体被覆用シート部材の積層体及び書籍に関する。
【背景技術】
【０００２】
記録媒体、例えば、ＣＤを収納した書籍がある（例えば、特許文献１参照）  。これは、書籍の表表紙を変形しにくい素材で形成し、その中央部に凹部を形成し、前記凹部にＣＤを収納し、該ＣＤを収納した凹部をシート材で覆うようにしており、大がかりとなり、コスト高になるというという問題点があった。
【考案の開示】
【考案が解決しようとする課題】
【０００３】
本考案は、前記した問題点を除去するようにした記録媒体、記録媒体被覆用紙シートの積層体及び書籍を提供することを目的としている。
【課題を解決するための手段】
【０００４】
前記した目的を達成するための請求項１記載の記録媒体は、円盤形状の記録媒体と、この円盤形状の記録媒体の大きさと略同じで、再剥離性の粘着剤が塗布されたシート部材とを有し、このシート部材で前記円盤形状の記録媒体の記録面の全体を覆って接着するものである。
【０００５】
また、請求項２記載の記録媒体被覆用シート部材の積層体は、円盤形状の記録媒体の記録面の径と同径の円形で、前記記録面の全体を覆い、再剥離性の粘着剤が塗布されたシート部材を積層したものであって、前記円形のシート部材の裏面の外周近傍に前記再剥離性の粘着剤が塗布されていない部分を有しているものである。
【０００６】
また、請求項３記載の記録媒体は、請求項１記載の記録媒体において、シート部材は円形で、該円形の外周に手で摘む突状片が設けられているものである。  
【０００７】
また、請求項４記載の記録媒体被覆用シート部材の積層体は、円盤形状の記録媒体の記録面の径と同径の円形で、前記記録面の全体を覆い、再剥離性の粘着剤が塗布されたシート部材を積層したものであって、前記円形の外周に手で摘む突状片が設けられ、該突状片の裏面に前記再剥離性の粘着剤が塗布されていないものである。
【０００８】
また、請求項５記載の書籍は、円盤形状の記録媒体を収納した書籍であって  、前記円盤形状の記録媒体の大きさと略同じで、再剥離性の粘着剤が塗布されたシート部材と、このシート部材で前記円盤形状の記録媒体の記録面の全体を覆うと共に、前記記録面の全体を覆って接着した前記シート部材を前記書籍の頁紙に部分的に接着して前記記録媒体を収納するものである。
【０００９】
また、請求項６記載の書籍は、請求項５記載の書籍において、シート部材の書籍の頁紙に部分的に接着は、両面テープ又はホットボンドによるものであり、前記シート部材は紙である。
【考案の効果】
【００１０】
請求項１記載の記録媒体によれば、記録媒体の不使用時、シート部材で円盤形状の記録媒体の記録面の全体を覆って接着するため、簡易に記録媒体の記録面を覆って記録媒体の記録面の保護を図ることができ、しかも、シート部材には、再剥離性の粘着剤が塗布されているため、シート部材を繰り返して使用することができる。
【００１１】
また、請求項２記載の記録媒体被覆用シート部材の積層体によれば、シート部材は再剥離性の粘着剤により積層状態を保持し、円盤形状の記録媒体の記録面をシート部材で覆う際には、円形のシート部材の裏面の外周近傍に再剥離性の粘着剤が塗布されていない部分を手でめくることにより、積層状態にあるシート部材から上面に位置するシート部材を容易に分離することができる。
【００１２】
また、請求項３記載の記録媒体によれば、上述した請求項１記載の考案の効果に加え、シート部材は円形で、該円形の外周に手で摘む突状片が設けられているため、記録媒体への脱着が容易である。
【００１３】
また、請求項４記載の記録媒体被覆用シート部材の積層体によれば、シート部材は再剥離性の粘着剤により積層状態を保持し、円盤形状の記録媒体の記録面をシート部材で覆う際には、突状片を手でめくることにより、積層状態にあるシート部材から上面に位置するシート部材を容易に分離することができる。
【００１４】
また、請求項５記載の書籍によれば、シート部材で円盤形状の記録媒体の記録面の全体を覆うと共に、前記記録面の全体を覆った前記シート部材を前記書籍の頁紙に部分的に接着して前記記録媒体を収納するため、特に、記録面の全体を覆ったシート部材を書籍の頁紙に全体に亘って接着していないため、記録媒体のみの分離が容易でなく、書籍の店頭販売の盗難の防止を図って、記録媒体を書籍に簡易に収納することができ、しかも、シート部材には、再剥離性の粘着剤が塗布されているため、シート部材を繰り返して使用することができる。
【考案を実施するための最良の形態】
【００１５】
本考案の一実施例の記録媒体、記録媒体被覆用シート部材の積層体及び書籍を図面を参照して説明する。
図１乃至図３において、１は円盤形状の記録媒体、例えば、ＣＤである。
記録媒体１の一方の面Ａはディスク基板で、他方の面Ｂは、記録媒体１の記録面
で、ディスク基板の上に、例えば、アルミ蒸着されている。
２は、円盤形状の記録媒体１の大きさと略同じで、再剥離性の粘着剤が塗布されたシート部材（シート部材２は、記録媒体１の径と同径の円形である。）である。なお、図１のＣの部分は、再剥離性の粘着剤が塗布されている。
このシート部材２は、円盤形状の記録媒体１の記録面Ｂの全体を覆って接着するもので、例えば、紙で形成されている。
【００１６】
その結果、記録媒体１の不使用時、シート部材２で円盤形状の記録媒体１の記録面Ｂの全体を覆って接着するため、記録媒体１の記録面Ｂを簡易に覆って記録媒体１の記録面Ｂの保護を図ることができ、しかも、シート部材２には、再剥離性の粘着剤が塗布されているため、シート部材２を繰り返して使用することができる。
【００１７】
なお、図２に示す２０は、円盤形状の記録媒体１の記録面Ｂの径と同径の円形で、記録面Ｂの全体を覆い、再剥離性の粘着剤が塗布されたシート部材２を積層した記録媒体被覆用シート部材である。
この記録媒体被覆用シート部材２０の円形のシート部材２の裏面の外周近傍に再剥離性の粘着剤が塗布されていない部分（図３の斜線で示したＤの部位）を有している。その結果、記録媒体被覆用シート部材の積層体２０によれば、図２に示すように、シート部材２は再剥離性の粘着剤により積層状態を保持し、図１に示すように、円盤形状の記録媒体１の記録面Ｂをシート部材２で覆う際には、円形のシート部材２の裏面の外周近傍に再剥離性の粘着剤が塗布されていない部分（図３の斜線で示したＤの部位）を手でめくることにより、積層状態にあるシート部材２から上面に位置するシート部材２を容易に分離することができる。
【００１８】
次に、上述した実施例と異なる実施例について、図４乃至図６を参照して、 説明すると、シート部材２は円形であるが、該円形の外周に手で摘む突状片２１が設けられている。突状片２１を手で摘むことにより、記録媒体１への脱着が容易となる。
なお、図６に示す２０’は、円盤形状の記録媒体１の記録面Ｂの径と同径の円形で、記録面Ｂの全体を覆い、再剥離性の粘着剤が塗布されたシート部材２を積層した記録媒体被覆用シート部材である。
この記録媒体被覆用シート部材２０’の円形の外周に手で摘む突状片２１が設けられ、突状片２１の裏面に再剥離性の粘着剤が塗布されていない。その結果  、図６に示すように、シート部材２は再剥離性の粘着剤により積層状態を保持し、円盤形状の記録媒体１の記録面Ｂをシート部材２で覆う際には、突状片２１を手でめくることにより、積層状態にあるシート部材２から上面に位置するシート部材２を容易に分離することができる。
【００１９】
次に示す図７及ぶ図８記載の実施例は、書籍１００へ適用したものである。
書籍１００は、円盤形状の記録媒体１を収納したもので、２は、円盤形状の記録媒体１の大きさと略同じで、再剥離性の粘着剤が塗布されたシート部材である。
シート部材２で円盤形状の記録媒体１の記録面Ｂの全体を覆うと共に、記録面Ｂの全体を覆って接着したシート部材２を書籍１００の頁紙１０１（頁紙１０１は、例えば、腰がない紙である。）に部分的に接着して記録媒体１を収納している。
なお、シート部材２の書籍１００の頁紙１０１に部分的に接着は、例えば、両面テープ１０２（例えば、２箇所）[又はホットボンド等]によるものである。
その結果、シート部材２で円盤形状の記録媒体１の記録面Ｂの全体を覆うと共に、記録面Ｂの全体を覆って接着したシート部材２を書籍１００の頁紙１０１に部分的に接着して記録媒体１を収納するため、特に、記録面Ｂの全体を覆ったシート部材２を書籍１００の頁紙１０１に全体に亘って接着していないため、記録媒体１のみの分離が容易でなく、書籍１００の店頭販売の盗難の防止を図って  、記録媒体１を書籍１００に簡易に収納することができ、しかも、シート部材２には、再剥離性の粘着剤が塗布されているため、シート部材２を繰り返して使用することができる。
なお、記録媒体１を書籍１００から、分離する場合、シート部材２で記録媒体１の記録面Ｂの全体を覆ったまま、両面テープ１０２より離脱させる。
【図面の簡単な説明】
【００２０】
【図１】図１は、本考案の一実施例の記録媒体のシート部材が接着される前の状態の概略的斜視図である。
【図２】図２は、図１のシート部材が積層された記録媒体被覆用シート部材の積層体の概略的斜視図である。
【図３】図３は、図１のシート部材の裏面を示す概略的斜視図である。
【図４】図４は、図１のシート部材と異なるシート部材を使用し、記録媒体のシート部材が接着される前の状態の概略的斜視図である。
【図５】図５は、図４のシート部材が記録媒体に接着された状態の概略的斜視図である。
【図６】図６は、シート部材が接着された記録媒体を書籍へ接着する前の状態の概略的斜視図である。
【図７】図７は、シート部材が接着された記録媒体を書籍へ接着する前の状態の概略的斜視図である。
【図８】図８は、図７の記録媒体を書籍へ接着した状態の概略的斜視図である。
【符号の説明】
【００２１】
１    …………記録媒体
２    …………シート部材
１００…………書籍
１０１…………頁紙
【図１】
0003115567.tif 000003
【図２】
0003115567.tif 000004
【図３】
0003115567.tif 000005
【図４】
0003115567.tif 000006
【図５】
0003115567.tif 000007
【図６】
0003115567.tif 000008
【図７】
0003115567.tif 000009
【図８】
0003115567.tif 000010